(57)【特許請求の範囲】
【請求項１】
支持対象物に取り付けられて当該支持対象物を下方から支える昇降体と、
この昇降体に差し通されて当該昇降体を昇降可能に支持するボルト状の脚軸と、
この脚軸の下端に取り付けられると共に、捻り回し操作によって当該脚軸を回転させる接地体と、
当該脚軸の上端に取り付けられて前記昇降体からの当該脚軸の抜け出しを阻止するストッパ体を備えており、
前記昇降体は、前記脚軸の雄ネジ部に当該脚軸の側方からかみ合う掛合部を有するロック体と、当該昇降体の外部からの操作によって、このロック体の掛合部と脚軸とのかみ合いを解く向きに当該ロック体を移動させるように当該ロック体と連係しているレバー体とを備えていると共に、
前記脚軸における、前記ストッパ体に前記昇降体が下方から突き当てられる当該昇降体の最大上昇位置において前記ロック体の掛合部の側方に位置される部分を、この部分の脚軸の直径を前記雄ネジ部の形成位置での脚軸の直径よりも小さくしたネジなし部としていることを特徴とする昇降脚具。
【発明の詳細な説明】
【０００１】
【発明の属する技術分野】
この発明は、支持対象物に取り付けられて当該支持対象物を下方から支える昇降体と、この昇降体に差し通されて当該昇降体を昇降可能に支持するボルト状の脚軸とを備え、かかる支持対象物を高さ調整可能に支持する昇降脚具の改良に関する。
【０００２】
【従来の技術】
支持対象物に取り付けられて当該支持対象物を下方から支える昇降体（取付用ケース、調整装置本体）と、この昇降体に差し通されて当該昇降体を昇降可能に支持するボルト状の脚軸（脚、螺軸）とを備え、前記脚軸の雄ネジ部に掛合する雌ネジ部を備えたロック体（ロックレバー、螺子駒）を当該掛合を解く向きに操作可能な状態で前記昇降体に内蔵させてなる脚具が開示されている。（公開特許公報掲載の特開平１１−８２８８１号に係る機器用調整脚、特開平１０−１０３３３１号に係るワンタッチ式アジャスター）
【０００３】
これらの脚具にあっては、前記脚軸の下端に取り付けられた接地体（接地部、脚座）を捻り回し操作することによる当該脚軸の回転によって、当該脚軸の雄ネジ部にかみ合う雌ネジ部を備えた前記ロック体を有する前記昇降体を徐々に上下動させることができるようになっている。
【０００４】
【発明が解決しようとする課題】
しかるに、これらの従来の脚具にあっては、前記脚軸の上端に取り付けたストッパ体（ワッシャー、ストッパープレート）に当該昇降体が下方から突き当たった位置を、前記昇降体の最大上昇位置とするように構成されている。
【０００５】
このため、これら従来の脚具にあっては、かかる最大上昇位置において、前記昇降体をさらに上方に移動させる向きに前記脚軸を回転させるように前記接地体の捻り回し操作が継続された場合、当該昇降体にさらに当該昇降体を上方に移動される向きの力が作用されるため、当該昇降体によって前記ストッパ体が下方から押圧されて前記脚軸から当該ストッパ体を外れ出させてしまう可能性があった。また、このような上方への移動力が前記昇降体に継続的に作用されていても、前記ストッパ体によって当該昇降体の上方への移動が規制されるため、回転される脚軸の雄ネジ部が前記ロック体の雌ネジ部を押し潰してしまうなど、かかるロック体に破損などを生じさせてしまう可能性があった。
【０００６】
そこでこの発明は、この種の脚具における昇降体が最大上昇位置にある状態からさらに当該昇降体を昇降可能に支持する脚軸が当該昇降体を上方に移動させる向きに回転されても、この回転によって当該昇降体に上方に移動する向きの力が作用されないようにすることを主たる目的とする。
【０００７】
【課題を解決するための手段】
前記目的を達成するために、この発明にあっては、昇降脚具が以下の（１）〜（６）の構成を備えたものとした。
（１） 支持対象物に取り付けられて当該支持対象物を下方から支える昇降体と、
（２）この昇降体に差し通されて当該昇降体を昇降可能に支持するボルト状の脚軸と、
（３）この脚軸の下端に取り付けられると共に、捻り回し操作によって当該脚軸を回転させる接地体と、
（４）当該脚軸の上端に取り付けられて前記昇降体からの当該脚軸の抜け出しを阻止するストッパ体を備えており、
（５）前記昇降体は、前記脚軸の雄ネジ部に当該脚軸の側方からかみ合う掛合部を有するロック体と、当該昇降体の外部からの操作によって、このロック体の掛合部と脚軸とのかみ合いを解く向きに当該ロック体を移動させるように当該ロック体と連係しているレバー体とを備えていると共に、
（６）前記脚軸における、前記ストッパ体に前記昇降体が下方から突き当てられる当該昇降体の最大上昇位置において前記ロック体の掛合部の側方に位置される部分をネジなし部として、この部分の脚軸の直径を前記雄ネジ部の形成位置での脚軸の直径よりも小さくしたネジなし部としている。
【０００８】
かかる構成によれば、先ず、前記接地体を捻り回し操作することにより、前記ロック体の掛合部と脚軸の雄ネジ部との掛合位置を変えるように当該脚軸を昇降体に対して螺進あるいは螺退させることができ、この螺進あるいは螺退によって前記接地体と昇降体との間の間隔を変えて、支持対象物を徐々に持ち上げ、あるいは、徐々に下げ降ろすことができる。（微調整機能）
【０００９】
また、前記昇降体を、前記接地体の捻り回し操作によって、前記ストッパ体に下方より当該昇降体が突き当てられる位置まで上昇させることができる。
【００１０】
また、前記レバー体を操作することにより、前記ロック体を前記掛合部と前記脚軸の雄ネジ部とのかみ合いを解くように回動させることができ、この回動によって当該脚軸の長さ方向に亙る任意の位置まで昇降体を大幅に移動させることができる。（大幅調整機能）
【００１１】
また、前記最大上昇位置に前記接地体の捻り回し操作によりかかる昇降体が達した状態においては、前記ネジなし部によって前記ロック体の掛合部と前記脚軸との掛合を解くことができる。
【００１２】
この結果、前記最大上昇位置において、前記昇降体をさらに上方に移動させる向きに前記脚軸を回転させるように前記接地体の捻り回し操作が継続されても、当該昇降体にはそれ以上上方に移動される向きの力が作用されることがなく、かかる最大上昇位置においてこうした力がさらに前記昇降体に作用された場合に生じる可能性のある前記ストッパ体の脚軸からの外れ出しや、前記ロック体の掛合部の破損などを生じさせることがない。
【００１４】
また、かかる構成によれば、前記昇降体の最大上昇位置から、前記昇降体を下降させる向きに前記接地体を捻り回し操作した場合、支持対象物の加重を受けている当該昇降体における前記ロック体の掛合部を、前記ネジなし部における前記脚軸の下端側となる箇所に臨んだ前記雄ネジ部の端末から再び当該雄ネジ部にかみ合わせ始めることができ、これにより、かかる向きの接地体の捻り回し操作によって再び前記昇降体を円滑に下方に移動させることができる。
【００１５】
【発明の実施の形態】
以下、図１ないし図３１に基づいて、この発明の典型的な実施の形態について説明する。
【００１６】
なお、ここで図１および図２は当該昇降脚具を側方から見た状態として、図３は上方から視た状態として、それぞれ示している。また、図４ないし図８はそれぞれ、かかる昇降脚具を断面の状態として示しており、特に、図４は昇降体１が最も下方に下降した状態を、図６及び図７は図５の状態からレバー体１２を回動操作させた状態を示しており、さらに、図６は昇降体１に支持対象物Ｍの荷重が加わっている状態を、図７は昇降体１に支持対象物Ｍの荷重が加わっていない状態を、それぞれ示している。また、図８は、昇降体１が最大上昇位置にあり、脚軸２のネジなし部２１がロック体１１の掛合部１１ａの側方に位置されている状態を示している。また、図９はかかる昇降脚具を構成する各部材を分離して示している。また、図１０ないし図１５はそれぞれかかる昇降脚具におけるケース体１０を構成するアッパーケース１０８をそれぞれ示し、図１６ないし図２２は当該ケース体１０を構成するロアケース１０１をそれぞれ示し、図２３ないし図２７は当該ケース体１０に組み込まれるレバー体１２をそれぞれ示し、さらに、図２８ないし図３０は当該ケース体１０に組み込まれるロック体１１をそれぞれ示している。また、図３１は、前記脚軸を示している。
【００１７】
この実施の形態にかかる昇降脚具は、家具や家電機器などの支持対象物Ｍに取り付けられて当該支持対象物Ｍを下方から支える昇降体１と、この昇降体１に差し通されて当該昇降体１を昇降可能に支持するボルト状の脚軸２とを備えており、かかる支持対象物Ｍを高さ調整可能に支持するために用いられるものである。
【００１８】
典型的には、かかる支持対象物Ｍとしては、いわゆる液晶プロジェクターや映写機、スライド映写機などの投影機などが予定され、この昇降脚具がかかる投影機に用いられる場合には、この投影機の投影レンズが設けられた前部側の下部に設けられて当該投影機の傾斜角を調整するように用いられ、これにより、当該投影レンズから投影される映像がスクリーンなどに映し出される高さ位置を調整するように用いられる。
【００１９】
前記昇降体１は、
ケース体１０と、
このケース体１０内に組み付けられたロック体１１と、
このロック体１１による前記脚軸２への掛合を解除操作できるレバー体１２とを備えている。
【００２０】
かかるケース体１０を支持対象物Ｍの下部に取り付けることにより、前記昇降体１によって当該支持対象物Ｍが下方から支えられる。
【００２１】
また、このように支持対象物Ｍに取り付けられる昇降体１の昇降によって当該昇降体１の上部、すなわち、前記ケース体１０の上部からの突き出し寸法が可変される前記脚軸２は、典型的には、当該支持対象物Ｍに形成された脚軸２の収容空間Ｍａ内に納められるものとされる。
【００２２】
また、かかる脚軸２の下端には、接地体３が設けられる。典型的には、かかる接地体３は、ドーム状の下部接地面などを備えたダイヤル状に形成され、この接地体３を把持しての捻り回し操作を行い易いように構成される。
【００２３】
また、かかるロック体１１は、前記脚軸２に対し前記ケース体１０内において当該脚軸２の側部から当該脚軸２の雄ネジ部２０にかみ合う掛合部１１ａを有している。
【００２４】
これにより、この実施の形態にかかる昇降脚具によれば、前記接地体３を捻り回し操作することにより、前記ロック体１１の掛合部１１ａと脚軸２の雄ネジ部２０との掛合位置を変えるように当該脚軸２を昇降体１に対して螺進あるいは螺退させることができ、この螺進あるいは螺退によって前記接地体３と昇降体１との間の間隔を変えて、支持対象物Ｍを徐々に持ち上げ、あるいは、徐々に下げ降ろすことができる。（微調整機能）
【００２５】
また、かかる脚軸２の上端には、前記昇降体１からの当該脚軸２の抜け出しを阻止するストッパ体４が備えられている。そして、前記昇降体１は、前記接地体３の捻り回し操作によって、このストッパ体４に下方より当該昇降体１が突き当てられる位置まで上昇可能とされている。
【００２６】
また、かかる脚軸２における、かかる昇降体１の最大上昇位置において前記ロック体１１の掛合部１１ａの側方に位置される部分には、ネジなし部２１が形成されている。
【００２７】
これにより、この実施の形態にかかる昇降脚具によれば、かかる最大上昇位置に前記接地体３の捻り回し操作によりかかる昇降体１が達した状態においては、前記ネジなし部２１によって前記ロック体１１の掛合部１１ａと前記脚軸２との掛合を解くことができる。
【００２８】
この結果、前記最大上昇位置において、前記昇降体１をさらに上方に移動させる向きに前記脚軸２を回転させるように前記接地体３の捻り回し操作が継続されても、当該昇降体１にはそれ以上上方に移動される向きの力が作用されることがなく、かかる最大上昇位置においてこうした力がさらに前記昇降体１に作用された場合に生じる可能性のある前記ストッパ体４の脚軸２からの外れ出しや、前記ロック体１１の掛合部１１ａの破損などを生じさせることがない。
【００２９】
また、この実施の形態にあっては、前記脚軸２における細径部２２が前記ネジなし部２１となるようにしてある。
【００３０】
すなわち、かかる脚軸２における、当該脚軸２に形成された雄ネジ部２０のネジ山の頂端位置での当該脚軸２の直径よりも、前記ネジなし部２１における当該脚軸２の直径が小さくなるように構成されている。
【００３１】
この結果、この実施の形態にあっては、前記昇降体１の最大上昇位置から、前記昇降体１を下降させる向きに前記接地体３を捻り回し操作した場合、支持対象物Ｍの加重を受けている当該昇降体１における前記ロック体１１の掛合部１１ａを、前記ネジなし部２１における前記脚軸２の下端側となる箇所に臨んだ前記雄ネジ部２０の端末から再び当該雄ネジ部２０にかみ合わせ始めることができ、これにより、かかる向きの接地体３の捻り回し操作によって再び前記昇降体１を円滑に下方に移動させることができる。
【００３２】
また、この実施の形態にあっては、前記ロック体１１は、前記掛合部１１ａよりも上方位置に設けられた回動軸１１ｂによって当該掛合部１１ａと前記脚軸２との掛合を解く向きの回動を可能とした状態で前記ケース体１０内に組み付けられていると共に、
前記レバー体１２は、このロック体１１における前記掛合部１１ａが設けられた側と反対の背面１１ｃに対する当接部１２ａを備え、この当接部１２ａを上方に移動可能とするように前記ケース体１０に回動可能に組み付けられており、
さらに、前記ロック体１１の背面１１ｃにおける前記回動軸１１ｂの上方側には、前記脚軸２から離れ出す向きに突き出した隆起部１１ｄが形成されており、前記レバー体１２の当接部１２ａが当該隆起部１１ｄに押し当てられる当該レバー体１２の回動位置において前記掛合部１１ａと前記脚軸２との掛合が解かれるように前記ロック体１１が回動される構成としてある。
【００３３】
これにより、この実施の形態にかかる昇降脚具によれば、
（１）先ず、前記レバー体１２の当接部１２ａによって前記ロック体１１の背面１１ｃ側を当該ロック体１１の掛合部１１ａが前記脚軸２の雄ネジ部２０に常時かみ合うように押さえつけておくことができ、昇降体１を当該脚軸２の長さ方向に亙る各位置に安定的に位置づけて前記支持対象物Ｍを当該昇降体１によって支持することができると共に、前記微調整を行うこととが可能とされる。
【００３４】
（２）また、前記レバー体１２を、前記当接部１２ａを上方に移動させるように回動操作することにより、当該当接部１２ａによって前記ロック体１１の隆起部１１ｄを押圧し、これによって当該ロック体１１を前記掛合部１１ａと前記脚軸２の雄ネジ部２０とのかみ合いを解くように回動させることができ、この回動によって当該脚軸２の長さ方向に亙る任意の位置まで昇降体１を大幅に移動させることができる。（大幅調整機能）
【００３５】
（３）また、このように昇降体１を大幅に移動させた後、再び前記レバー体１２を前記当接部１２ａを下方に移動させるように回動させることにより、当該当接部１２ａによって前記回動軸１１ｂの下方にある前記ロック体１１の背面１１ｃを再び押圧して当該ロック体１１の掛合部１１ａを前記脚軸２の雄ネジ部２０に再びかみ合わせることができ、このように大幅に昇降体１を移動させた位置において再び前記昇降体１を安定的に位置づけて前記支持対象物Ｍを当該昇降体１によって支持することができる。
【００３６】
また、この実施の形態にあっては、前記レバー体１２の当接部１２ａ及び前記ロック体１１の隆起部１１ｄの双方又はいずれか一方が、前記昇降体１が前記支持対象物Ｍの荷重を受けている状態において、当該当接部１２ａと隆起部１１ｄとの押し当たりによる弾性変形を生じるように構成してある。
【００３７】
すなわち、前記ロック体１１は、前記回動軸１１ｂの下方に前記脚軸２の雄ネジ部２０への掛合部１１ａを備えていることから、前記昇降体１が前記支持対象物Ｍの荷重を受けている状態においては、相対的に当該脚軸２には上向きの力（Ｆ１）が作用されることとなり、この上向きの力（Ｆ１）によって当該ロック体１１にはこの状態においては前記掛合部１１ａを前記雄ネジ部２０により食い込ませる向きの回動力（Ｆ２）が作用されることとなる。そして、この実施の形態にあっては、前記レバー体１２の当接部１２ａ及び前記ロック体１１の隆起部１１ｄの双方又はいずれか一方が、このようにロック体１１に回動力（Ｆ２）が作用されている状態において当該レバー体１２を当該当接部１２ａを上方に移動させるように回動操作した場合に、当該当接部１２ａと隆起部１１ｄとの押し当たりによって弾性変形をするように構成してある。
【００３８】
この結果、この実施の形態にあっては、前記大幅調整をしようとする際に、前記レバー体１２を前記当接部１２ａを上方に移動させる向きに回動操作しただけでは前記ロック体１１の掛合部１１ａと前記脚軸２の雄ネジ部２０との掛合が解かれることはなく、支持対象物Ｍの荷重を受けていることに起因してレバー体１２の操作と同時に昇降体１が急速に落下してしまうといった事態を生じさせることがない。すなわち、前記大幅調整にあたっては、前記ロック体１１に前記回動力（Ｆ２）が作用されないように、前記支持対象物Ｍの下部を操作者が手などで支えた状態で、前記レバー体１２を回動操作することを必ず必要とさせるようにすることができる。かかる回動力（Ｆ２）が作用されない状態においては、前記当接部１２ａの上方への移動による当該当接部１２ａと隆起部１１ｄとの押し当たりによって当該当接部１２ａ及び隆起部１１ｄの双方又はいずれか一方に弾性変形を生じさせることはなく、このように上方に移動される当接部１２ａによって前記掛合部１１ａと前記脚軸２の雄ネジ部２０との掛合を解く向きに前記ロック体１１を回動させることができ、これにより前記大幅調整を支障なく行うことができる。
【００３９】
前記回動力（Ｆ２）が前記ロック体１１に作用されている場合に前記レバー体１２の当接部１２ａが上方に移動されても当該当接部１２ａと前記隆起部１１ｄとの押し当たりによって当該ロック体１１が前記脚軸２の雄ネジ部２０との掛合を解く向きに回動されないようにすることは、この回動力（Ｆ２）が作用されている場合には当該当接部１２ａが前記隆起部１１ｄに押し当てられることによって前記脚軸２から離れ出す向きの弾性変形を生じるように構成しておくことにより確保することができる。
【００４０】
また、かかる回動力（Ｆ２）が作用されている場合には前記当接部１２ａが前記隆起部１１ｄに押し当てられることによって当該隆起部１１ｄが前記脚軸２に近付く向きの弾性変形を生じるように構成しておくことにより確保することができる。
【００４１】
また、かかる回動力（Ｆ２）が作用されている場合には前記当接部１２ａが前記隆起部１１ｄに押し当てられることによって、当該当接部１２ａが前記脚軸２から離れ出す向きの弾性変形を生じるように構成しておくと共に、当該隆起部１１ｄが前記脚軸２に近付く向きの弾性変形を生じるように構成しておくことにより確保することができる。
【００４２】
より具体的には、かかる図１ないし図２９に示される例にあっては、前記昇降体１を構成するケース体１０は、上面を開放させたロアケース１０１と、当該ロアケース１０１の開放された上面を塞ぐアッパーケース１０８とから構成されている。
【００４３】
かかるロアケース１０１とアッパーケース１０８とは、アッパーケース１０８の両側に形成された弾性片１０９の先端に形成させた掛合部１１０をそれぞれ、当該ロアケース１０１の両側外面に形成させた被掛合部１０２に当該掛合部１１０が上方から突き当てられることに伴う当該弾性片１０９の弾性的な外向きの広がり出し後の、当該掛合部１１０が当該被掛合部１０２を乗り越えた位置での弾発によって、当該被掛合部１０２に掛合させることによってワンタッチで組み付け合わされるようにしてある。
【００４４】
また、このように構成されるケース体１０における前記アッパーケース１０８の上面と前記ロアケース１０１の下面とにそれぞれ、前記脚軸２の通し穴１０３、１１１が形成されており、かかる両通し穴１０３、１１１を通じて当該ケース体１０に当該脚軸２が差し通されている。この例にあっては、このように差し通される脚軸２の下端に前記接地体３が取り付けられていると共に、かかる脚軸２の上端には前記アッパーケース１０８に設けられた通し穴１１１から下方への当該脚軸２の入り込みを阻止する前記ストッパ体４となるワッシャー１３４がはめ付けられている。
【００４５】
また、このように組み付け合わされるロアケース１０１とアッパーケース１０８との内部に前記ロック体１１が回動可能に組み込まれると共に、前記レバー体１２の主体部が組み込まれる構成としてある。
【００４６】
かかる例にあっては、前記ロック体１１は、上下端にそれぞれ異なる向きに突き出す突き出し部１１７を備えたレバー状をなすように構成されている。
【００４７】
そして、かかるロック体１１における下端側の突き出し部１１７に前記脚軸２の雄ネジ部２０に対する掛合部１１ａが形成されていると共に、かかるロック体１１における上端側の突き出し部１１７が前記隆起部１１ｄとして機能するように構成されている。
【００４８】
この例にあっては、かかるロック体１１における下端側の突き出し部１１７に前記脚軸２を前記ケース体１０内において当該脚軸２の側部から納める凹部１１８が形成してあると共に、この凹部１１８内に当該脚軸２の雄ネジ部２０にかみ合う雌ネジ部１１９が形成されている。すなわち、この実施の形態にあっては、かかる凹部１１８の雌ネジ部１１９が前記掛合部１１ａとして機能される構成としてある。
【００４９】
前述のように、前記脚軸２には、この脚軸２における、前記昇降体１の最大上昇位置において前記ロック体１１の掛合部１１ａの側方に位置される部分に、ネジなし部２１が形成されていることから、この例にあっては、前記最大上昇位置において、前記昇降体１をさらに上方に移動させる向きに前記脚軸２を回転させるように前記接地体３の捻り回し操作が継続されても、当該昇降体１にはそれ以上上方に移動される向きの力が作用されることがなく、かかる最大上昇位置において当該捻り回し操作が継続されても、前記アッパーケース１０８の通し穴１１１の縁部で前記ワッシャー１３４を押し上げることはなく、また、前記ロック体１１の掛合部１１ａの雌ネジ部１１９の破損などを生じさせることはない。
【００５０】
また、前記昇降体１の最大上昇位置から、当該昇降体１を下降させる向きに前記接地体３を捻り回し操作した場合、前記ロック体１１の掛合部１１ａにおける前記凹部１１８の下方側から順に、当該凹部１１８に形成された雌ネジ部１１９を前記ネジなし部２１の下方にある前記雄ネジ部２０にかみ合わせ始めさせることができ、これにより、かかる向きの接地体３の捻り回し操作によって再び前記昇降体１を円滑に下方に移動させることができる。
【００５１】
また、この例にあっては、前記凹部１１８よりも上方位置であって、前記隆起部１１ｄよりも下方となる位置に、かかるロック体１１を前記ケース体１０内に回動可能に組み付ける回動軸１１ｂが設けられている。
【００５２】
かかる回動軸１１ｂは、この例にあっては、かかるロック体１１における前記ロアケース１０１とアッパーケース１０８との掛合側に向けられた両側端部から突き出すに円柱状の突起１２０として構成されている。
【００５３】
そして、この例にあっては、アッパーケース１０８の内部に当該ロック体１１を間に納める間隔を開けて配される一対の支持板１１２、１１２が形成されていると共に、ロアケース１０１の内部に同様に当該ロック体１１を間に納める間隔を開けて配される一対の支持板１０４、１０４が形成されており、さらに、前記アッパーケース１０８に形成された一対の支持板１１２、１１２の下端にそれぞれ前記回動軸１１ｂを納める軸凹部１１３が形成してあり、この一対の支持板１１２、１１２に形成された軸凹部１１３にそれぞれ前記回動軸１１ｂを納めた状態で両ケース１０１、１０８を組み付け合わさせることにより当該組み付け合わせにより先端を突き合わされる前記アッパーケース１０８の一対の支持板１１２、１１２とロアケース１０１の一対の支持板１０４、１０４とによって、前記ケース体１０内に前記脚軸２の軸線方向に対しほぼ直交する向きに回動軸１１ｂ線を配した状態で前記ロック体１１が組み込まれるようにしてある。
【００５４】
また、この例にあっては、前記レバー体１２は、
（１）前記ケース体１０内において前記脚軸２と、前記のように当該ケース体１０内に組み込まれるロック体１１とを内側に納める方形枠部１２３と、
（２）この方形枠部１２３における前記ロック体１１の凹部１１８が形成された側と反対の側、つまり、前記隆起部１１ｄが形成された当該ロック体１１の背面１１ｃ側にある枠縁部に一端を一体に連接させると共に、前記ケース体１０の側部開放部１０５を通じて当該ケース体１０の外方に他端を突き出させる操作片部１２４と、
（３）この操作片部１２４の突き出し端に取り付けられる操作摘み１２５とを備えている。
【００５５】
また、この例にあっては、前記方形枠部１２３における前記脚軸２を挟んだ前記操作片部１２４が設けられた側と反対の側に、かかるレバー体１２を前記ケース体１０内に回動可能に組み付ける回動軸１２６が設けられている。
【００５６】
かかる回動軸１２６は、この例にあっては、かかる方形枠部１２３における前記ロアケース１０１とアッパーケース１０８との掛合側に向けられた両側端部から突き出すに円柱状の突起１２７として構成されている。
【００５７】
そして、この例にあっては、アッパーケース１０８のロアケース１０１との掛合側となる両側板の下部にそれぞれ、前記回動軸１２６を納める軸凹部１１４が形成してあり、この軸凹部１１４にそれぞれ前記回動軸１２６を納めた状態で両ケース体１０を組み付け合わさせることにより当該組み付け合わせにより先端を突き合わされる前記アッパーケース１０８の側板とロアケース１０１の側板とによって、前記ケース体１０内に前記脚軸２の軸線方向に対しほぼ直交する向きに回動軸線を配した状態で前記レバー体１２が組み込まれるようにしてある。
【００５８】
また、この例にあっては、前記方形枠部１２３における前記ロック体１１の背面１１ｃ側に向けられた箇所に、下端を当該方形枠部１２３の内面下端に一体に連接させて上方に延びる弾性片１２８が設けられている。そして、この例にあっては、かかる弾性片１２８における前記ロック体１１の背面１１ｃに向けられた面が前記当接部１２ａとなるようにしてある。より具体的には、この例にあっては、前記ロック体１１の背面１１ｃ側であって、前記回動軸１１ｂを挟んだ下方に下部隆起部１２１が形成されており、当該ロック体１１の掛合部１１ａと脚軸２の雄ネジ部２０との掛合を解く向きの当該ロック体１１の回動を生じさせるように当該レバー体１２を回動させない状態においては、前記弾性片１２８の当接部１２ａのうち当該弾性片１２８の基部側に位置する箇所が当該下部隆起部１２１に押し当てられ、当該弾性片１２８の突き出し端が前記隆起部１１ｄの下方に位置されるようにしてある。
【００５９】
また、この例にあっては、かかる弾性片１２８の背面１１ｃ側において、前記方形枠部１２３に、当該弾性片１２８の前記脚軸２から離れる向きの弾性変形による移動を許容する割溝１２９が形成されており、前記ロック体１１に前記回動力（Ｆ２）が作用されている状態においては、前記操作摘み１２５を把持して前記回動軸１２６を中心に前記レバー体１２を当該弾性片１２８における当接部１２ａが前記隆起部１１ｄに押し当てられるように上方に回動させても、前記脚軸２から当該弾性片１２８の突き出し端側を離れ出させるように、この割溝１２９内に当該弾性片１２８が入り込み、この弾性片１２８が当該脚軸２の雄ネジ部２０と掛合部１１ａとの掛合を解く向きに前記回動軸１１ｂを中心に前記ロック体１１を回動させることがないものとされている。（図６）
【００６０】
一方、このような回動力（Ｆ２）が前記ロック体１１に作用されていない状態においては、前記操作摘み１２５を把持して前記回動軸１２６を中心に前記レバー体１２を当該弾性片１２８における当接部１２ａが前記隆起部１１ｄに押し当てられるように上方に回動させた場合、当該弾性片１２８は弾性変形を生じないようにその剛性が設定されており、この場合には、当該弾性片１２８の突き出し端側が前記隆起部１１ｄを押圧して当該脚軸２の雄ネジ部２０と掛合部１１ａとの掛合を解く向きに前記回動軸１１ｂを中心に前記ロック体１１を回動させるものとされている。（図７）
【００６１】
なお、この例にあっては、前記ケース体１０内に、前記レバー体１２を、当該レバー体１２の当接部１２ａを前記ロック体１１の隆起部１１ｄの下方側にあるロック体１１の背面１１ｃに押し当てる回動位置に位置づけるように常時付勢する付勢手段１３２が備えられている。
【００６２】
具体的には、この例にあっては、かかる付勢手段１３２を、かかるレバー体１２における前記操作片部１２４と方形枠部１２３との連接箇所に形成された当該方形枠部１２３の上面において開放された保持穴１３０の穴底に形成された保持突部１３１をバネ一端側からバネ内側に入り込ませると共に、前記アッパーケース１０８の内面に形成された保持突部１１５をバネ他端側からバネ内側に入り込ませた状態で、当該レバー体１２と前記アッパーケース１０８との間に介装された圧縮コイルバネ１３３としている。
【００６３】
この結果、この例にあっては、前記レバー体１２の当接部１２ａ（この例にあっては前記弾性片１２８の前記ロック体１１の背面１１ｃに向けられた面）が前記ロック体１１の背面１１ｃに常時押し付けられるようにしておくことができ、このように押し付けられる当接部１２ａによって当該ロック体１１の掛合部１１ａが、前記脚軸２の雄ネジ部２０に当該雄ネジ部２０と掛合部１１ａとのかみ合いを解く前記大幅調整を必要としない状況においては、常時適切に当該雄ネジ部２０にかみ合うように当該ロック体１１を位置づけさせておくことができる。
【００６４】
また、前記大幅調整のために前記レバー体１２を前記当接部１２ａが前記ロック体１１の隆起部１１ｄに押し当てられる位置まで回動操作させた後、当該回動操作を解いた場合には、かかる付勢手段１３２の付勢により当該レバー体１２を回動操作前の位置に復帰させることができ、かかる大幅調整後の位置において再び前記掛合部１１ａを前記脚軸２の雄ネジ部２０に適切にかみ合わせるように前記ロック体１１の背面１１ｃを前記当接部１２ａによって押さえ付けさせることができる。
【００６５】
また、この例にあっては、前記ロック体１１に形成された隆起部１１ｄが、このロック体１１の回動軸１１ｂの側から当該ロック体１１の上端側に向かうに連れて次第に脚軸２から離れる向きに傾斜した傾斜面１２２を備えるように構成してある。
【００６６】
この結果、この例にあっては、前記大幅調整のために前記レバー体１２を前記当接部１２ａを上方に移動させるように回動操作することに伴って、当該当接部１２ａ（この例にあっては、かかる当接部１２ａのうち前記弾性片１２８の突き出し端側にある当接部１２ａ）をかかる傾斜面１２２に突き当てて前記ロック体１１を徐々に前記掛合部１１ａと前記脚軸２の雄ネジ部２０との掛合を解く向きに回動させることができ、この掛合の解除を円滑に行うことができる。
【００６７】
なお、この例にあっては、前記アッパーケース１０８の上面部には、前記通し穴１１１に下端を連通させた上下端を開放させた筒状部１１６が形成されており、この通し穴１１１から突き出される脚軸２をこの筒状部１１６内を通し抜けさせるようにしてある。
【００６８】
また、この例にあっては、前記ロアケース１０１における前記レバー体１２の操作片部１２４の突き出し側と反対の側に、前記アッパーケース１０８の上面とほぼ同面をなす位置に突き出し端面を位置させるように形成された円柱状部１０６が形成されていると共に、この円柱状部１０６に当該突き出し端面において開放されたネジの止め付け穴１０７が形成されており、支持対象物Ｍ側に形成されたネジの挿通穴（図示は省略する。）から当該止め付け穴１０７にネジの軸部をネジ込むことにより当該支持対象物Ｍに対する昇降体１の最終的な止め付けをなすようにしてある。
【００６９】
【発明の効果】
この発明にかかる昇降脚具によれば、昇降体が最大上昇位置にある状態からさらに当該昇降体を昇降可能に支持する脚軸が当該昇降体を上方に移動させる向きに回転されても、この回転によって当該昇降体に上方に移動する向きの力が作用されることがない。
【図面の簡単な説明】
【図１】昇降脚具の側面図（昇降体１の最大上昇位置）
【図２】図１における左側から見た昇降脚具の側面図
【図３】昇降脚具の平面図
【図４】同要部断面図
【図５】同要部断面図
【図６】同要部断面図
【図７】同要部断面図
【図８】同要部断面図（昇降体１の最大上昇位置）
【図９】同分離斜視図
【図１０】アッパーケース１０８の平面図
【図１１】同底面図
【図１２】同側面図
【図１３】図１１におけるＡ−Ａ線断面図
【図１４】図１２における左側から見たアッパーケース１０８の側面図
【図１５】図１１におけるＢ−Ｂ線断面図
【図１６】ロアケース１０１の平面図
【図１７】同底面図
【図１８】同側面図
【図１９】図１６におけるＣ−Ｃ線断面図
【図２０】図１６におけるＤ−Ｄ線断面図
【図２１】図１８における左側から見たロアケース１０１の側面図
【図２２】図１６におけるＥ−Ｅ線断面図
【図２３】レバー体１２の平面図
【図２４】同底面図
【図２５】同側面図
【図２６】図２３におけるＦ−Ｆ線断面図
【図２７】図２５における左側から見たレバー体１２の側面図
【図２８】ロック体１１の側面図
【図２９】ロック体１１の平面図
【図３０】図２８における右側から見たロック体１１の側面図
【図３１】脚軸２の側面図
【符号の説明】
１  昇降体
１１  ロック体
１１ａ  掛合部
１２  レバー体
２  脚軸
２０  雄ネジ部
２１  ネジなし部
３  接地体
４  ストッパ体
Ｍ  支持対象物
【図１】
0004783522.tif 000002
【図２】
0004783522.tif 000003
【図３】
0004783522.tif 000004
【図４】
0004783522.tif 000005
【図５】
0004783522.tif 000006
【図６】
0004783522.tif 000007
【図７】
0004783522.tif 000008
【図８】
0004783522.tif 000009
【図９】
0004783522.tif 000010
【図１０】
0004783522.tif 000011
【図１１】
0004783522.tif 000012
【図１２】
0004783522.tif 000013
【図１３】
0004783522.tif 000014
【図１４】
0004783522.tif 000015
【図１５】
0004783522.tif 000016
【図１６】
0004783522.tif 000017
【図１７】
0004783522.tif 000018
【図１８】
0004783522.tif 000019
【図１９】
0004783522.tif 000020
【図２０】
0004783522.tif 000021
【図２１】
0004783522.tif 000022
【図２２】
0004783522.tif 000023
【図２３】
0004783522.tif 000024
【図２４】
0004783522.tif 000025
【図２５】
0004783522.tif 000026
【図２６】
0004783522.tif 000027
【図２７】
0004783522.tif 000028
【図２８】
0004783522.tif 000029
【図２９】
0004783522.tif 000030
【図３０】
0004783522.tif 000031
【図３１】
0004783522.tif 000032